(57)【要約】【課題】保守点検のためのインバータユニットの引き出しを簡易に行うようにする。【解決手段】パッケージユニットは、箱形ケーシングと、前記箱形ケーシングの内部に収納された回転機械と、前記回転機械用のインバータを含むインバータユニットとを備えるパッケージユニットであって、前記インバータユニットが固定され、前記箱形ケーシングの１つの側面の内側で前記箱形ケーシングの内部構造物に着脱可能に固定された可動部と、前記可動部の下方で前記内部構造物に設けられ、前記可動部をスライド可能に支持するレールと、を備え、前記可動部が前記レールにより前記１つの側面の外側へ引き出し可能に構成されていることを特徴とする。【選択図】図６
2018129990.tif 000002
【特許請求の範囲】
【請求項１】
箱形ケーシングと、
前記箱形ケーシングの内部に収納された回転機械と、
前記回転機械用のインバータを含むインバータユニットとを備えるパッケージユニットであって、
前記インバータユニットが固定され、前記箱形ケーシングの１つの側面の内側で前記箱形ケーシングの内部構造物に着脱可能に固定された可動部と、
前記可動部の下方で前記内部構造物に設けられ、前記可動部をスライド可能に支持するレールと、
を備え、
前記可動部が前記レールにより前記１つの側面の外側へ引き出し可能に構成されていることを特徴とするパッケージユニット。
【請求項２】
前記可動部は板状体を含み、該板状体は前記１つの側面の内側で前記１つの側面に対して直交方向に沿って配置されることを特徴とする請求項１に記載のパッケージユニット。
【請求項３】
前記レールは、前記板状体の下端が遊嵌する嵌合部を有することを特徴とする請求項２に記載のパッケージユニット。
【請求項４】
前記インバータユニットに接続された１つ以上の第１ケーブルと、
前記回転機械に接続された１つ以上の第２ケーブルと、
前記第１ケーブルと前記第２ケーブルとを接続及び切り離し可能な端子台と、
を備えることを特徴とする請求項１乃至３の何れか一項に記載のパッケージユニット。
【請求項５】
前記可動部に固定され前記１つの側面に面して配置され、前記パッケージユニットの外側から操作可能な操作パネルを備えることを特徴とする請求項１乃至４の何れか一項に記載のパッケージユニット。
【請求項６】
前記箱形ケーシングの内部に収納されたヒートポンプサイクル構成機器を備え、
前記回転機械は前記ヒートポンプサイクル構成機器の一部を構成する圧縮機であることを特徴とする請求項１乃至５の何れか一項に記載のパッケージユニット。
【請求項７】
前記１つの側面に形成された空気取込み口及び前記箱形ケーシングの上面に形成された空気流出口と、
前記箱形ケーシングの内部で前記空気取込み口の内側に設けられたパネル状熱交換器と、
前記空気取込み口から流入し前記空気流出口から流出する空気流を形成するファンと、
を備えることを特徴とする請求項１乃至６の何れか一項に記載のパッケージユニット。
【請求項８】
箱形ケーシングと、
前記箱形ケーシングの内部に収納された回転機械と、
前記回転機械用のインバータを含むインバータユニットとを備えるパッケージユニットのメンテナンス方法であって、
前記インバータユニットが固定され前記箱形ケーシングの１つの側面の内側で前記箱形ケーシングの内部構造物に着脱可能に固定された可動部の前記箱形ケーシングに対する固定を解除する固定解除ステップと、
前記箱形ケーシングに対する固定が解除された前記可動部を、前記可動部の下方で前記内部構造物に設けられ前記可動部をスライド可能に支持するレールに対してスライドさせて前記１つの側面の外側へ引き出しメンテナンス作業を行うメンテナンスステップと、
を備えることを特徴とするパッケージユニットのメンテナンス方法。
【請求項９】
前記メンテナンスステップの前段で、前記インバータユニットに接続された１つ以上の第１ケーブルと前記回転機械に接続された１つ以上の第２ケーブルとを切り離すケーブル切り離しステップを備えることを特徴とする請求項８に記載のパッケージユニットのメンテナンス方法。
【発明の詳細な説明】
【技術分野】
【０００１】
本開示は、パッケージユニット及びパッケージユニットのメンテナンス方法に関する。
【背景技術】
【０００２】
インバータが収納されたインバータユニットは発熱するため、インバータユニットがパッケージユニットや制御盤などに内蔵されている場合昇温して過熱しやすい。そこで、冷却ファンを設けたり、定期的にインバータユニットや制御盤の外に取り出して保守点検する必要がある。
特許文献１には、乗客コンベアの制御盤の中に設けられたインバータユニットの保守点検を容易にするため、駆動電源ユニット及び冷却ファンを含む冷却アセンブリと一体となったインバータユニットを制御盤の外側に取り出し可能にすることが開示されている。
【先行技術文献】
【特許文献】
【０００３】
【特許文献１】特開２０１１−１７３６６９号公報
【発明の概要】
【発明が解決しようとする課題】
【０００４】
特許文献１では、駆動電源ユニット、冷却アセンブリ及びインバータユニットが一体となった重量物を作業員が制御盤の外側に引き上げるため、作業員の負担が大きいという問題がある。
【０００５】
少なくとも一実施形態は、上記課題に鑑み、保守点検のためのインバータユニットの引き出しを簡易に行うようにすることを目的とする。
【課題を解決するための手段】
【０００６】
（１）少なくとも一実施形態に係るパッケージユニットは、
箱形ケーシングと、
前記箱形ケーシングの内部に収納された回転機械と、
前記回転機械用のインバータを含むインバータユニットとを備えるパッケージユニットであって、
前記インバータユニットが固定され、前記箱形ケーシングの１つの側面の内側で前記箱形ケーシングの内部構造物に着脱可能に固定された可動部と、
前記可動部の下方で前記内部構造物に設けられ、前記可動部をスライド可能に支持するレールと、
を備え、
前記可動部が前記レールにより前記１つの側面の外側へ引き出し可能に構成されている。
【０００７】
上記（１）の構成によれば、箱形ケーシングの内部構造物に対する上記可動部の固定を解除した後、上記可動部を上記レールに支持させながら箱形ケーシングの外側へ引き出すことができる。このように、インバータユニットのみの軽量物を簡易に箱形ケーシングの外側へ引き出すことができる。
【０００８】
（２）一実施形態では、前記（１）の構成において、
前記可動部は板状体を含み、該板状体は前記１つの側面の内側で前記１つの側面に対して直交方向に沿って配置される。
上記（２）の構成によれば、上記可動部は板状体を含むので、パッケージユニットの内部で設置スペースを取らない。また、該板状体はパッケージユニットの１つ以上の側面に対して直交方向に沿って配置されるので、該側面の外側への取り出しが容易になる。
【０００９】
（３）一実施形態では、前記（２）の構成において、
前記レールは、前記板状体の下端が遊嵌する嵌合部を有する。
上記（３）の構成によれば、板状体を含む可動部をスライド可能に支持するレールが板状体の下端と遊嵌する嵌合部を有するため、可動部がレールから外れることなく、可動部の引き出しが可能になる。
【００１０】
（４）一実施形態では、前記（１）〜（３）の何れかの構成において、
前記インバータユニットに接続された１つ以上の第１ケーブルと、
前記回転機械に接続された１つ以上の第２ケーブルと、
前記第１ケーブルと前記第２ケーブルとを接続及び切り離し可能な端子台と、
を備える。
上記（４）の構成によれば、インバータユニットと回転機械との間に接続されるケーブルを第１ケーブルと第２ケーブルとに分離し、これらを上記端子台で接続及び切り離し可能にすることで、インバータユニットの取り出し時にインバータユニットのみを簡易に取り出すことができる。
【００１１】
（５）一実施形態では、前記（１）〜（４）の何れかの構成において、
前記可動部に固定され前記１つの側面に面して配置され、前記パッケージユニットの外側から操作可能な操作パネルを備える。
上記（５）の構成によれば、上記操作パネルを可動部に固定することで、インバータユニットと共に、操作パネルの保守点検を行うことができる。
【００１２】
（６）一実施形態では、前記（１）〜（５）の何れかの構成において、
前記箱形ケーシングの内部に収納されたヒートポンプサイクル構成機器を備え、
前記回転機械は前記ヒートポンプサイクル構成機器の一部を構成する圧縮機である。
上記（６）の構成によれば、圧縮機を含むヒートポンプサイクル構成機器を備えるパッケージユニットにおいて、圧縮機用のインバータユニットの保守点検を簡易に行うことができる。
【００１３】
（７）一実施形態では、前記（１）〜（６）の何れかの構成において、
前記１つの側面に形成された空気取込み口及び前記箱形ケーシングの上面に形成された空気流出口と、
前記箱形ケーシングの内部で前記空気取込み口の内側に設けられたパネル状熱交換器と、
前記空気取込み口から流入し前記空気流出口から流出する空気流を形成するファンと、
を備える。
上記（７）の構成によれば、空気との熱交換を行うパネル状熱交換器を備えるパッケージユニットにおいて、回転機械用のインバータユニットの保守点検を簡易に行うことができる。
【００１４】
（８）少なくとも一実施形態に係るパッケージユニットのメンテナンス方法は、
箱形ケーシングと、
前記箱形ケーシングの内部に収納された回転機械と、
前記回転機械用のインバータを含むインバータユニットとを備えるパッケージユニットのメンテナンス方法であって、
前記インバータユニットが固定され前記箱形ケーシングの１つの側面の内側で前記箱形ケーシングの内部構造物に着脱可能に固定された可動部の前記箱形ケーシングに対する固定を解除する固定解除ステップと、
前記箱形ケーシングに対する固定が解除された前記可動部を、前記可動部の下方で前記内部構造物に設けられ前記可動部をスライド可能に支持するレールに対してスライドさせて前記１つの側面の外側へ引き出しメンテナンス作業を行うメンテナンスステップと、
を備える。
【００１５】
上記（８）の方法によれば、箱形ケーシングの内部構造物に対する上記可動部の固定を解除した後、上記可動部を上記レールに支持させながら箱形ケーシングの外側へ引き出す。このように、インバータユニットのみの軽量物を簡易に箱形ケーシングの外側へ引き出すことができ、メンテナンス作業を効率的に実施できる。
【００１６】
（９）一実施形態では、前記（８）の方法において、
前記メンテナンスステップの前段で、前記インバータユニットに接続された１つ以上の第１ケーブルと前記回転機械に接続された１つ以上の第２ケーブルとを切り離すケーブル切り離しステップを備える。
上記（９）の方法によれば、インバータユニットと回転機械との間に接続されるケーブルを第１ケーブルと第２ケーブルとに分離することで、インバータユニットの取り出し時にインバータユニットのみを簡易に取り出すことができ、メンテナンス作業を効率的に実施できる。
【発明の効果】
【００１７】
少なくとも一実施形態によれば、保守点検のためのインバータユニットの引き出しを簡易に行うことができ、メンテナンス性が向上する。
【図面の簡単な説明】
【００１８】
【図１】一実施形態に係るパッケージユニットであるヒートポンプユニットの外観の斜視図であり、（ａ）は一実施形態に係るヒートポンプユニットを前方から見た斜視図であり、（ｂ）は一実施形態に係るヒートポンプユニットを後方から見た斜視図である。
【図２】一実施形態に係るヒートポンプユニットの箱形ケーシングの右側面の内側を示す斜視図である。
【図３】一実施形態に係るヒートポンプユニットの内部構造を模式的に示す斜視図である。
【図４】一実施形態に係るヒートポンプユニットの全体構成を示す図である。
【図５】箱形ケーシングの第１領域のうち、インバータユニットが設けられる領域の近傍の模式的な斜視図である。
【図６】インバータユニットを箱形ケーシングの前方外側に引き出した状態を示す模式的な斜視図である。
【図７】インバータユニットと圧縮機の電動モータとの接続状態を表す回路ブロック図である。
【発明を実施するための形態】
【００１９】
以下、添付図面を参照して本発明の幾つかの実施形態について説明する。ただし、実施形態として記載され又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２０】
図１は、一実施形態に係るパッケージユニットであるヒートポンプユニットの外観の斜視図であり、図１（ａ）は一実施形態に係るヒートポンプユニットを前方から見た斜視図であり、図１（ｂ）は一実施形態に係るヒートポンプユニットを後方から見た斜視図である。図２は、一実施形態に係るヒートポンプユニットの箱形ケーシングの右側面の内側を示す斜視図であり、図３は、一実施形態に係るヒートポンプユニットの内部構造を模式的に示す斜視図である。
説明の便宜上、ヒートポンプユニットの前後方向及び左右方向を各図に示すように規定する。なお、ヒートポンプユニットの前面を正面とも呼び、後面を背面とも呼ぶ。
【００２１】
一実施形態に係るパッケージユニットであるヒートポンプユニット５０は、略直方体形状を呈する箱形ケーシング１００と、箱形ケーシング１００の内部に配置されるヒートポンプサイクル構成機器５２とを備える。
箱形ケーシング１００は、略矩形形状のベースプレート５１の上部に設けられている。すなわち、ベースプレート５１の四隅には、４本の支柱１０１が立設されている。箱形ケーシング１００の上面には、後述する空気流出口１１２が設けられ、空気流出口１１２の周囲が天板１０２で覆われている。
【００２２】
箱形ケーシング１００は４つの側面、すなわち、前面（正面）１００ａ、後面（背面）１００ｂ、右側面１００ｃ、及び左側面１００ｄを有する。正面１００ａ及び背面１００ｂには、後述する空気取込み口１１１が形成される。正面１００ａ、背面１００ｂ、右側面１００ｃ、及び左側面１００ｄは、空気取込み口１１１を除いてパネル板で覆われている。
【００２３】
箱形ケーシング１００の内部には、箱形ケーシング１００の内部構造物であり、前後及び上下方向に延在する仕切壁１２０が設けられている。説明の便宜上、仕切壁１２０よりも右側の領域を第１領域１５１と呼び、仕切壁１２０よりも左側の領域を第２領域１５２（図３参照）と呼ぶ。なお、図３では仕切壁１２０の記載を省略している。
【００２４】
正面１００ａを覆うパネル板の内、第１領域１５１の前側の開口を覆うパネル板を正面右側パネル板１０３と呼ぶ。正面右側パネル板１０３は、第１領域１５１に設けられた機器等のメンテナンスのために容易に着脱できるように、箱形ケーシング１００の右前側の支柱１０１及び仕切壁１２０の前部に取り付けられている。
正面右側パネル板１０３には、開口部１０３ａが設けられている。開口部１０３ａは、ヒートポンプユニット５０を操作するための、後述するタッチパネル式の操作パネルを操作するための開口部である。
【００２５】
図４は、一実施形態に係るヒートポンプユニット５０の全体構成を示す図である。図４に示すように、ヒートポンプサイクル構成機器５２は、圧縮機５６と、ガスクーラ５８と、内部熱交換器６４と、パネル状熱交換器３６とを含む。
圧縮機５６で圧縮された冷媒（例えばＣＯ２）は冷媒循環路５４を介してガスクーラ５８へ供給され、ガスクーラ５８で冷却水路６０を流れる冷却水によって冷却される。冷却水路６０には冷却水をガスクーラ５８に送るポンプ６２が設けられる。ガスクーラ５８で冷却された冷媒は内部熱交換器６４でパネル状熱交換器３６から送られる冷媒と熱交換して冷却された後、膨張弁６６を経て減圧される、その後、冷媒はパネル状熱交換器３６で空気を熱源として気化する。気化した冷媒は、内部熱交換器６４でガスクーラ５８から送られる冷媒と熱交換して加熱された後、再び圧縮機５６に送られて圧縮される。
【００２６】
冷媒循環路５４には、ガスクーラ５８の下流側で冷媒循環路５４から分岐し、膨張弁６６の下流側で冷媒循環路５４に接続されるバイパス路６８が接続されている。バイパス路６８には冷媒タンク７０が設けられ、冷媒タンク７０の上流側及び下流側に電磁弁７２及び７４が設けられている。冷媒循環路５４の冷媒の一部を冷媒タンク７０に貯留し、あるいは冷媒タンク７０に貯留された冷媒を冷媒循環路５４に戻すことで、冷媒循環路５４を流れる冷媒量を調整できる。
一実施形態のヒートポンプユニット５０では、ガスクーラ５８で加熱された温水を熱源として需要先に供給できる。
【００２７】
一実施形態では、図３に示すように、第２領域１５２の上部の領域に一対のパネル状熱交換器３６が設けられ、パネル状熱交換器３６の上方にファン３４が例えば２基設けられる。箱形ケーシング１００の内部の下部領域には、圧縮機５６、ガスクーラ５８等のヒートポンプサイクル構成機器５２が設けられる。圧縮機５６、ガスクーラ５８、及び冷媒タンク７０等のヒートポンプサイクル構成機器５２は、ベースプレート５１上に固定されている。
【００２８】
一実施形態では、図１，３に示すように、箱形ケーシング１００の正面１００ａ及び背面１００ｂの上部領域に空気取込み口１１１が形成される。一対のパネル状熱交換器３６は２つの空気取込み口１１１に対面して設けられると共に、一対のパネル状熱交換器３６の間隔が下方に向かうにつれて小さくなるようにＶ字形に配置される。
箱形ケーシング１００の内部に、正面１００ａ及び背面１００ｂの空気取込み口１１１から流入し、一対のパネル状熱交換器３６を通り抜け、空気流出口１１２に至る空気流ａ（図３参照）が形成される。
【００２９】
一実施形態では、箱形ケーシング１００の内部の領域のうち、仕切壁１２０よりも右側の第１領域１５１には、冷媒タンク７０と、圧縮機５６用のインバータを含むインバータユニット１０が設けられている。すなわち、圧縮機５６は、インバータで回転が制御される電動モータによって駆動される。
【００３０】
図５は、箱形ケーシング１００の第１領域１５１のうち、インバータユニット１０が設けられる領域の近傍の模式的な斜視図である。図６は、インバータユニット１０を箱形ケーシング１００の前方外側に引き出した状態を示す模式的な斜視図である。
【００３１】
一実施形態では、インバータユニット１０は、仕切壁１２０に対して着脱可能に固定されている。具体的には、インバータユニット１０は、略直方体形状を呈し、左側面が可動部１３０に固定されている。可動部１３０は、略矩形板状の板状体１３１を含み、板状体１３１の下端１３１ａがＬ字状に折り曲げられている。一実施形態では、可動部１３０には、インバータユニット１０の他に、ヒートポンプユニット５０を操作するためのタッチパネル式の操作パネル１１が取り付けられている。
【００３２】
図６に示すように、板状体１３１にはボルト穴１３１ｂが設けられている。ボルト穴１３１ｂに挿通させたボルト１２５（図５参照）を仕切壁１２０に設けられた雌ねじ部１２１（図６参照）に螺合させることで、可動部１３０を仕切壁１２０に固定できる。これにより、インバータユニット１０及び操作パネル１１が可動部１３０と共に仕切壁１２０に取り付けられる。
図５に示すように、可動部１３０の板状体１３１は、仕切壁１２０の壁面と平行に、すなわち、箱形ケーシング１００の正面１００ａの内側で正面１００ａに対して直交方向に沿って配置される。
【００３３】
なお、インバータユニット１０及び操作パネル１１が可動部１３０と共に仕切壁１２０に取り付けられ、正面右側パネル板１０３が箱形ケーシング１００の右前側の支柱１０１及び仕切壁１２０の前部に固定されると、正面右側パネル板１０３の開口部１０３ａと操作パネル１１とが対向する。したがって、正面右側パネル板１０３の開口部１０３ａを介して操作パネル１１を箱形ケーシング１００の外側から操作可能である。
【００３４】
図５に示すように、仕切壁１２０には、可動部１３０をスライド可能に支持するレール１４０が可動部１３０の下方に設けられている。レール１４０は、可動部１３０の板状体１３１の下端１３１ａを下方からスライド可能に支持する受け面１４１ａを有する。受け面１４１ａの右端には、板状体１３１の下端１３１ａが受け面１４１ａの右方に逸脱するのを防止するために上方に向かって折り曲げられた折り曲げ部１４１ｂが設けられている。受け面１４１ａと折り曲げ部１４１ｂとによって、可動部１３０の板状体１３１の下端１３１ａが遊嵌する嵌合部１４１が形成されている。すなわちレール１４０は、可動部１３０の板状体１３１の下端１３１ａが遊嵌する嵌合部１４１を有する。
【００３５】
また、図５に示すように、仕切壁１２０には、可動部１３０をレール１４０に沿って前後方向に移動させる際に、可動部１３０の板状体１３１が右側に傾いて倒れることを防止するための倒れ防止部材１２２が可動部１３０の上方に設けられている。倒れ防止部材１２２は、板状体１３１の右側への傾きを右方から規制する。
【００３６】
図７は、インバータユニット１０と圧縮機５６の電動モータＭとの接続状態を表す回路ブロック図である。一実施形態のヒートポンプユニット５０は、インバータユニット１０に接続された１つ以上の第１ケーブル１３と、圧縮機５６の電動モータＭに接続された１つ以上の第２ケーブル１４とを有する。一実施形態では、電動モータＭが三相交流電動機であり、第１ケーブル１３及び第２ケーブル１４はそれぞれ３本となる。なお、第１ケーブル１３及び第２ケーブル１４はそれぞれ３本に限らず、１本以上であればよい。
一実施の形態のヒートポンプユニット５０は、第１ケーブル１３と第２ケーブル１４とを接続及び切り離し可能な端子台１２を有する。図５に示すように、端子台１２は、インバータユニット１０の下方で仕切壁１２０に取り付けられている。第１ケーブル１３の一端に設けられた端子のそれぞれを不図示のボルトで端子台１２に固定し、第２ケーブル１４の一端に設けられた端子のそれぞれを不図示のボルトで端子台１２に固定することで、第１ケーブル１３のそれぞれと第２ケーブル１４のそれぞれとを接続できる。
【００３７】
このように構成される一実施形態のヒートポンプユニット５０では、次のようにしてインバータユニット１０のメンテナンスを行うことができる。
上述したように、インバータユニット１０は、箱形ケーシング１００の内部の領域のうち、仕切壁１２０よりも右側の第１領域１５１に設けられている。そこで、インバータユニット１０にアクセスするため、正面右側パネル板１０３を取り外す。これにより、図５に示すように、箱形ケーシング１００の第１領域１５１の前面が開放される。そして、ボルト１２５を取り外す。すなわち、インバータユニット１０が固定され箱形ケーシング１００の正面１００ａの内側で箱形ケーシング１００の内部構造物である仕切壁１２０に着脱可能に固定された可動部１３０の箱形ケーシング１００に対する固定を解除する。
なお、上述したように、可動部１３０の板状体１３１の下端１３１ａがレール１４０に支持され、板状体１３１の右側への傾きが倒れ防止部材１２２で規制されるので、ボルト１２５を取り外しても、可動部１３０はレール１４０上に留まる。
【００３８】
また、不図示のボルトで固定されている第１ケーブル１３の端子のそれぞれを端子台１２から取り外す。これにより、第１ケーブル１３と第２ケーブル１４とが切り離される。
なお、上述したボルト１２５の取り外し作業と、第１ケーブル１３と第２ケーブル１４との切り離し作業とは、何れの作業を先に行ってもよいし、並行して行ってもよい。
【００３９】
上述したボルト１２５の取り外し作業と、第１ケーブル１３と第２ケーブル１４との切り離し作業とを行った後、可動部１３０をレール１４０に沿って前方へスライドさせることで、図６に示すように、インバータユニット１０及び操作パネル１１を可動部１３０と共に箱形ケーシング１００の正面１００ａの外側に容易に引き出すことができる。作業者は、このようにして箱形ケーシング１００の外部に引き出したインバータユニット１０を適宜メンテナンスすることができる。
なお、インバータユニット１０のメンテナンスを終えた後、上述した作業手順とは逆の作業手順で可動部１３０を仕切壁１２０に容易に固定できる。
【００４０】
上述したように、一実施形態のヒートポンプユニット５０は、箱形ケーシング１００と、箱形ケーシング１００の内部に収納された圧縮機５６と、圧縮機５６用のインバータを含むインバータユニット１０とを備えるパッケージユニットである。
ヒートポンプユニット５０はインバータユニット１０が固定され、箱形ケーシング１００の１つの側面である正面１００ａの内側で箱形ケーシング１００の内部構造物である仕切壁１２０に着脱可能に固定された可動部１３０と、可動部１３０の下方で内部構造物である仕切壁１２０に設けられ、可動部１３０をスライド可能に支持するレール１４０と、を備え、可動部１３０がレール１４０により正面１００ａの外側へ引き出し可能に構成されている。
【００４１】
したがって、箱形ケーシング１００の内部構造物である仕切壁１２０に対する可動部１３０の固定を解除した後、可動部１３０をレール１４０に支持させながら箱形ケーシング１００の外側へ引き出すことができる。このように、インバータユニット１０と可動部１３０といった軽量物だけを簡易に箱形ケーシングの外側へ引き出すことができる。
【００４２】
可動部１３０は板状体１３１を含み、該板状体１３１は箱形ケーシング１００の正面１００ａの内側で正面１００ａに対して直交方向に沿って配置される。
このように、可動部１３０は板状体１３１を含むので、ヒートポンプユニット５０の内部で設置スペースを取らない。また、該板状体１３１はヒートポンプユニット５０の正面１００ａに対して直交方向に沿って配置されるので、正面１００ａの外側への取り出しが簡易になる。
【００４３】
レール１４０は、板状体１３１の下端１３１ａが遊嵌する嵌合部１４１を有する。
このように、板状体１３１を含む可動部１３０をスライド可能に支持するレール１４０が板状体１３１の下端１３１ａと遊嵌する嵌合部１４１を有するため、可動部１３０がレール１４０から外れることなく、可動部１３０の引き出しが可能になる。
【００４４】
上述したように、一実施形態のヒートポンプユニット５０は、インバータユニット１０に接続された１つ以上の第１ケーブル１３と、圧縮機５６に接続された１つ以上の第２ケーブル１４と、第１ケーブル１３と第２ケーブル１４とを接続及び切り離し可能な端子台１２と、を備える。
このように、インバータユニット１０と圧縮機５６との間に接続されるケーブルを第１ケーブル１３と第２ケーブル１４とに分離し、これらを端子台１２で接続及び切り離し可能にすることで、インバータユニット１０の取り出し時にインバータユニット１０を簡易に取り出すことができる。
【００４５】
上述したように、一実施形態のヒートポンプユニット５０は、可動部１３０に固定され箱形ケーシング１００の正面１００ａに面して配置され、ヒートポンプユニット５０の外側から操作可能な操作パネル１１を備える。
このように、操作パネル１１を可動部１３０に固定することで、インバータユニット１０と共に、操作パネル１１の保守点検を行うことができる。
【００４６】
上述したように、一実施形態のヒートポンプユニット５０は、箱形ケーシング１００の内部に収納されたヒートポンプサイクル構成機器５２を備え、圧縮機５６はヒートポンプサイクル構成機器５２の一部を構成する圧縮機である。
これにより、圧縮機５６を含むヒートポンプサイクル構成機器５２を備えるヒートポンプユニット５０において、圧縮機５６用のインバータユニット１０の保守点検を簡易に行うことができる。
【００４７】
上述したように、一実施形態のヒートポンプユニット５０は、箱形ケーシング１００の正面１００ａに形成された空気取込み口１１１及び箱形ケーシング１００の上面に形成された空気流出口１１２と、箱形ケーシング１００の内部で空気取込み口１１１の内側に設けられたパネル状熱交換器３６と、空気取込み口１１１から流入し空気流出口１１２から流出する空気流ａを形成するファン３４と、を備える。
これにより、空気との熱交換を行うパネル状熱交換器３６を備えるヒートポンプユニット５０において、圧縮機５６用のインバータユニット１０の保守点検を簡易に行うことができる。
【００４８】
上述したように、一実施形態のヒートポンプユニット５０のメンテナンス方法は、箱形ケーシング１００と、箱形ケーシング１００の内部に収納された圧縮機５６と、圧縮機５６用のインバータを含むインバータユニット１０とを備えるパッケージユニットのメンテナンス方法であって、インバータユニット１０が固定され箱形ケーシング１００の正面１００ａの内側で箱形ケーシング１００の内部構造物である仕切壁１２０に着脱可能に固定された可動部１３０の箱形ケーシング１００に対する固定を解除する固定解除ステップと、箱形ケーシング１００に対する固定が解除された可動部１３０を、可動部１３０の下方で内部構造物である仕切壁１２０に設けられ可動部１３０をスライド可能に支持するレール１４０に対してスライドさせて正面１００ａの外側へ引き出しメンテナンス作業を行うメンテナンスステップと、を備える。
【００４９】
これにより、箱形ケーシング１００の内部構造物である仕切壁１２０に対する可動部１３０の固定を解除した後、可動部１３０をレール１４０に支持させながら箱形ケーシング１００の外側へ引き出す。このように、インバータユニット１０等の軽量物を簡易に箱形ケーシング１００の外側へ引き出すことができ、メンテナンス作業を効率的に実施できる。
【００５０】
上述したように、一実施形態のヒートポンプユニット５０のメンテナンス方法は、上記メンテナンスステップの前段で、インバータユニット１０に接続された１つ以上の第１ケーブル１３と圧縮機５６に接続された１つ以上の第２ケーブル１４とを切り離すケーブル切り離しステップを備える。
これにより、インバータユニット１０と圧縮機５６との間に接続されるケーブルを第１ケーブル１３と第２ケーブル１４とに分離することで、インバータユニット１０の取り出し時にインバータユニット１０等を簡易に取り出すことができ、メンテナンス作業を効率的に実施できる。
【００５１】
以上、本発明の実施形態について説明したが、本発明は上記の形態に限定されるものではなく、本発明の目的を逸脱しない範囲で種々の変更が可能である。
例えば、上述の実施形態では、ヒートポンプサイクルを構成する機器を備えるヒートポンプユニット５０について説明したが、ヒートポンプユニット５０について上述した内容は、冷凍サイクルを構成する機器を備える冷凍ユニットに適用可能である。
【００５２】
上述した一実施形態では、可動部１３０に操作パネル１１が取り付けられている。しかし、操作パネル１１は、必ずしも可動部１３０に取り付けられていなくてもよく、例えば直接又はブラケット等を介して仕切壁１２０に取り付けられていてもよい。
【００５３】
上述した一実施形態では、可動部１３０に取り付けられたインバータユニット１０は、圧縮機５６用のインバータユニットである。しかし、例えば、ファン３４を駆動する電動モータ用のインバータユニットを可動部１３０に取り付けてもよい。
この場合、上述したインバータユニット１０と共にファン３４を駆動する電動モータ用のインバータユニットを可動部１３０に取り付けてもよく、ファン３４を駆動する電動モータ用のインバータユニットだけを可動部１３０に取り付けてもよい。
また、インバータユニット１０が取り付けられた可動部１３０の他に、ファン３４を駆動する電動モータ用のインバータユニットが取り付けられた可動部を別途設けてもよい。
【００５４】
上述した一実施形態では、可動部１３０がレール１４０により正面１００ａの外側へ引き出し可能に構成されている。しかし、可動部１３０がレールにより背面１００ｂの外側へ引き出し可能に構成されていてもよく、可動部１３０がレールにより右側面１００ｃの外側へ引き出し可能に構成されていてもよく、可動部１３０がレールにより左側面１００ｄの外側へ引き出し可能に構成されていてもよい。
【００５５】
なお、上述した一実施形態のように、正面１００ａ及び背面１００ｂに空気取込み口１１１が形成されている場合には、吸気のために正面１００ａから前方に向かって及び背面１００ｂから後方に向かってそれぞれ所定の距離だけ他の機器等をヒートポンプユニット５０から離間させる必要がある。そのため、正面１００ａの前方及び背面１００ｂの後方には作業員がメンテナンスのためにアクセスするための空間が確保される。したがって、可動部１３０がレール１４０により正面１００ａまたは背面１００ｂの外側へ引き出し可能に構成されている場合、インバータユニット１０のメンテナンスのために作業員がヒートポンプユニット５０に容易にアクセスできる。また、この場合には、右側面１００ｃの右方や左側面１００ｄの左方に他のヒートポンプユニット５０などの機器を隣接して配置できるので、機器の設置面積を有効に利用できる。
【００５６】
上述した一実施形態では、可動部１３０が板状体１３１を有している。しかし、例えば可動部１３０が箱形の構造物を有しており、この箱形の構造物にインバータユニット１０が取り付けられていてもよい。
【００５７】
上述した一実施形態では、前方から見たときに、レール１４０の受け面１４１ａを底面とし、折り曲げ部１４１ｂと仕切壁１２０とを側壁とする凹状の受け部が構成され、この受け部に可動部１３０の板状体１３１の下端１３１ａが挿入されて遊嵌されている。しかし、レール１４０が折り曲げ部１４１ｂを有さず、受け面１４１ａで可動部１３０の板状体１３１の下端１３１ａを受けていてもよい。
なお、レール１４０と板状体１３１との凹凸関係を上述した一実施形態とは逆となるようにレール１４０及び板状体１３１を構成してもよい。
【００５８】
上述した一実施形態では、インバータユニット１０からの第１ケーブル１３と圧縮機５６の電動モータＭからの第２ケーブル１４とが端子台１２を介して接続されている。しかし、例えば第１ケーブル１３と第２ケーブル１４とが端子台１２を介さずに直接接続されていてもよい。また、例えば、インバータユニット１０と圧縮機５６の電動モータＭとの間に接続されるケーブルが第１ケーブル１３と第２ケーブル１４とに分離されておらず、インバータユニット１０からのケーブルが圧縮機５６の電動モータＭに直接接続されていてもよい。
【００５９】
上述した一実施形態では、ヒートポンプユニット５０は、空気を熱源とするパネル状熱交換器３６を有している。しかし、ヒートポンプユニット５０は、例えば温排水を熱源とするプレート式熱交換器やシェルアンドチューブ式の熱交換器等、他の種類の熱交換器を有していてもよい。また、ヒートポンプユニット５０がパネル状熱交換器３６に代えて例えば温排水を熱源とするプレート式熱交換器やシェルアンドチューブ式の熱交換器等を有している場合、ファン３４や空気取込み口１１１、空気流出口１１２を設けなくてもよい。
【符号の説明】
【００６０】
１０    インバータユニット
１１    操作パネル
１２    端子台
１３    第１ケーブル
１４    第２ケーブル
３４    ファン
３６    パネル状熱交換器
５０    ヒートポンプユニット
５１    ベースプレート
５２    ヒートポンプサイクル構成機器
５４    冷媒循環路
５６    圧縮機
５８    ガスクーラ
６４    内部熱交換器
６６    膨張弁
７０    冷媒タンク
１００    箱形ケーシング
１００ａ    前面（正面）
１００ｂ    後面（背面）
１００ｃ    右側面
１００ｄ    左側面
１０１    支柱
１０２    天板
１０３    正面右側パネル板
１０３ａ    開口部
１１１    空気取込み口
１１２    空気流出口
１２０    仕切壁
１３０    可動部
１３１    板状体
１３１ａ    下端
１４０    レール
１４１    嵌合部
１４１ａ    受け面
１４１ｂ    折り曲げ部
１５１       第１領域
１５２    第２領域
ａ    空気流
Ｍ    電動モータ
【図１】
2018129990.tif 000003
【図２】
2018129990.tif 000004
【図３】
2018129990.tif 000005
【図４】
2018129990.tif 000006
【図５】
2018129990.tif 000007
【図６】
2018129990.tif 000008
【図７】
2018129990.tif 000009